(57)【要約】【課題】映像データを視聴している場合の消費電力量を制御することが可能な電子機器を提供する。【解決手段】ＰＤＡ１は、表示装置１８をオフする、光源１７を減光する、復号演算処理部１６による映像再生処理を低画質化する、等の種々の消費電力制御動作が可能であり、消費電力制御部２４は、これらをどのように動作させるかを番組の種別毎に設定する消費電力設定部２４１を有している。また、消費電力制御部２４は、チューナ１５を介して受信中の番組の種別を判定するコンテンツ種別検知部２４２を有しており、このコンテンツ種別検知部２４２の判定結果に基づき、消費電力設定部２４１によって番組の種別毎に設定された消費電力動作が行われるように各部の制御を行う。【選択図】      図２
2006129262.tif 000002
【特許請求の範囲】
【請求項１】
映像データを入力する入力手段を具備する電子機器において、
前記入力手段によって入力された映像データを表示する表示部と、
前記表示部に表示される映像データの種別に応じて本電子機器の消費電力量を制御する制御手段と
を具備することを特徴とする電子機器。
【請求項２】
前記映像データの種別毎に前記制御手段の制御内容を設定する設定手段をさらに具備し、
前記制御手段は、前記設定手段によって設定された制御内容に基づいて本電子機器の消費電力を制御することを特徴とする請求項１記載の電子機器。
【請求項３】
前記制御手段は、前記映像データに関連付けられる属性値に基づいて本電子機器の消費電力量を制御する手段を含むことを特徴とする請求項１記載の電子機器
【請求項４】
前記制御手段は、前記表示部の電源をオフする手段を含むことを特徴とする請求項１記載の電子機器。
【請求項５】
前記制御手段は、前記映像データを表示する表示装置の光源を消灯または減光する手段を含むことを特徴とする請求項１記載の電子機器。
【請求項６】
前記制御手段は、前記映像データに関連付けられる音を消音または減音する手段を含むことを特徴とする請求項１記載の電子機器。
【請求項７】
前記制御手段は、前記映像データを復号するための復号演算処理を停止または低解像度化する手段を含むことを特徴とする請求項１記載の電子機器。
【請求項８】
前記制御手段は、前記映像データの表示を停止またはフレームスキップさせる手段を含むことを特徴とする請求項１記載の電子機器。
【請求項９】
放送データを受信するチューナを具備する電子機器において、
前記チューナによって入力された放送データを表示する表示部と、
前記表示部に表示される放送データの種別に応じて本電子機器の消費電力量を制御する制御手段と
を具備することを特徴とする電子機器。
【請求項１０】
前記制御手段は、前記表示部にコマーシャルが表示される場合、本電子機器の消費電力量を低減させることを特徴とする請求項９記載の電子機器。
【請求項１１】
前記放送データの種別毎に前記制御手段の制御内容を設定する設定手段をさらに具備し、
前記制御手段は、前記設定手段によって設定された制御内容に基づいて本電子機器の消費電力を制御することを特徴とする請求項９記載の電子機器。
【請求項１２】
映像データを表示する表示部を具備する電子機器の消費電力制御方法において、
映像データを入力し、
入力された後、前記表示部に表示される映像データの種別に応じて前記電子機器の消費電力量を制御する
ことを特徴とする消費電力制御方法。
【請求項１３】
前記映像データの内容毎に前記電子機器の消費電力量の制御内容を設定し、
前記設定された前記電子機器の消費電力量の制御内容に基づいて、本電子機器の消費電力を制御することを特徴とする請求項１２記載の消費電力制御方法。
【請求項１４】
前記入力された映像データに関連付けられる属性値に基づいて本電子機器の消費電力量を制御することを特徴とする請求項１２記載の消費電力制御方法。
【請求項１５】
前記表示部の電源をオフすることで前記電子機器の消費電力量を低減制御することを特徴とする請求項１２記載の消費電力制御方法。
【請求項１６】
前記表示部の光源を消灯または減光することで前記電子機器の消費電力量を低減制御することを特徴とする請求項１２記載の消費電力制御方法。
【請求項１７】
映像データを再生する再生手段を具備する電子機器において、
前記再生手段によって再生された映像データを表示する表示部と、
前記表示部に表示される映像データの種別に応じて本電子機器の消費電力量を制御する制御手段と
を具備することを特徴とする電子機器。
【請求項１８】
前記映像データの種別毎に前記制御手段の制御内容を設定する設定手段をさらに具備し、
前記制御手段は、前記設定手段によって設定された制御内容に基づいて本電子機器の消費電力を制御することを特徴とする請求項１７記載の電子機器。
【請求項１９】
前記制御部は、前記映像データに関連付けられる属性値に基づいて本電子機器の消費電力量を制御する手段を含むことを特徴とする請求項１７記載の電子機器。
【発明の詳細な説明】
【技術分野】
【０００１】
この発明は、例えばＰＤＡ（personal digital assistant）などと称されるバッテリ駆動可能な電子機器に適用して好適な消費電力制御技術に関する。
【背景技術】
【０００２】
近年、小型で携行容易な電子機器の多機能化・高機能化が進んでおり、テレビジョン放送を受信・視聴するテレビジョン機能を搭載するものも普及し始めている。この種の携帯型の電子機器では、バッテリからの電力で駆動するので、消費電力量を少しでも抑えるための省電力機能が非常に重要である。
【０００３】
テレビジョン機能に関わる省電力機能としては、例えばテレビ番組を録画する際、コマーシャル・メッセージ（ＣＭ）の間は録画動作を停止させることによって、ＣＭカット録画時におけるＣＭ中の消費電力を削減する方法などが提案されている（例えば特許文献１等参照）。
【特許文献１】特開２０００−２３６５０２号公報
【発明の開示】
【発明が解決しようとする課題】
【０００４】
ところで、録画時におけるＣＭのカットに限らず、放映中の番組を視聴している場合においても、例えば映画やドラマは高画質で視聴したいが、ニュースやスポーツは低画質で構わないので、その分消費電力を抑えたい等、その時々の番組の種類によって消費電力機能の動作を制御したいといった要望も強い。
【０００５】
この発明は、このような事情を考慮してなされたものであり、映像データを視聴している場合の消費電力量を制御することが可能な電子機器および同機器の消費電力制御方法を提供することを目的とする。
【課題を解決するための手段】
【０００６】
前述した目的を達成するために、本発明の電子機器は、映像データを入力する入力手段を具備する電子機器において、前記入力手段によって入力された映像データを表示する表示部と、前記表示部に表示される映像データの種別に応じて本電子機器の消費電力量を制御する制御手段とを具備することを特徴とする。
【０００７】
また、本発明の電子機器の消費電力制御方法は、映像データを表示する表示部を具備する電子機器の消費電力制御方法において、映像データを入力し、入力された後、前記表示部に表示される映像データの種別に応じて前記電子機器の消費電力量を制御することを特徴とする。
【発明の効果】
【０００８】
本発明によれば、映像データを視聴している場合の消費電力量を制御することが可能な電子機器および同機器の消費電力制御方法を提供することができる。
【発明を実施するための最良の形態】
【０００９】
以下、図面を参照して、本発明の実施の形態を説明する。
【００１０】
図１は、本発明の一実施形態に係る電子機器の外観を示す図である。ここでは、本発明の電子機器をＰＤＡとして実現した場合を想定する。
【００１１】
このＰＤＡ１は、テレビジョン放送を受信・視聴するテレビジョン機能を搭載するバッテリ駆動可能な電子機器であり、図示のように、薄い箱状の筐体を備えている。この筐体の周壁部には、テレビジョン放送を受信するためのアンテナ１５１、テレビジョン放送の映像データを含む各種表示出力を行うための表示装置１８、テレビジョン放送の音声データを含む各種音声出力を行うためのスピーカ１９、データ入力や動作指示を行うための操作キー２５などが設けられている。
【００１２】
図２には、ＰＤＡ１のシステム構成を示すブロック図である。図示のように、このＰＤＡ１は、前述のアンテナ１５１、表示装置１８、スピーカ１９、操作キー２５の他、ＣＰＵ１１、ＲＯＭ１２、ＲＡＭ１３、記憶装置１４、チューナ１５、復号演算処理部１６、光源１７、映像／音声データ入力端子２０、電源回路２１、バッテリ２２、ＡＣ入力端子２３、消費電力制御部２４などを有している。
【００１３】
ＣＰＵ１１は、ＰＤＡ１０の全体的な動作を制御するための演算装置であり、ＲＯＭ１２に格納された各種プログラムを実行する。ＲＯＭ１２に格納されるプログラムには、基本システムであるオペレーティングシステムの他、前述のテレビジョン機能、文書作成機能、表計算機能等を提供するためのアプリケーションソフトウェアが存在する。また、消費電力制御部２４は、このＲＯＭ１２に格納された消費電力制御ユーティリティソフトウェアがＣＰＵ１１で実行されることによって構成される。
【００１４】
ＲＡＭ１３は、これらプログラムをＣＰＵ１が実行する際に作業領域として用いられる本ＰＤＡ１の主記憶となる記憶媒体である。これに対して、記憶装置１４は、このＲＡＭ１３の補助記憶として各種データを大量に格納する記憶媒体である。
【００１５】
チューナ１５は、複数のチャンネルの中から所望のチャンネルの電波をアンテナ１５１を介して受信するための同調装置である。チューナ１５が受信する電波によって伝搬されるテレビジョン放送の番組データ（音声データを含む映像データ）は、符号化されたデジタル信号であり、このデジタル信号である番組データは、復号演算処理部１６に供給されて映像および音声がそれぞれ再生される。復号化された映像は、光源１７により照明される表示装置１８によって表示出力され、一方、復号化された音声は、スピーカ１９から音声出力される。この復号演算処理部１６は、例えばＭＰＥＧ４形式で符号化されたデジタル信号をアナログ信号に復号化するデコーダ回路であるが、ＣＰＵ１１で実行されるソフトウェアとして構築することも可能である。また、このチューナ１５を介して、各チャンネルの放送スケジュールおよび各番組の属性が記載された番組表データ（メタデータ）を随時に取得することができる。この番組表データは、例えば特定の放送局から常時出力されているものを、テレビジョン機能の利用開始時や電源オン時などに取得してＲＡＭ１３に格納する。
【００１６】
このＰＤＡ１が備えるテレビジョン機能は、テレビジョン放送を録画・再生することも可能であり、録画を行う場合には、デジタル化された番組データを復号化することなく記憶装置１４にファイルとして格納する。そして、再生を行う場合には、この記憶装置１４にファイルとして格納された番組データを読み出して復号演算処理部１６に供給する。さらに、このテレビジョン機能は、映像／音声データ入力端子２０から音声データを含む映像データを入力して復号演算処理部１６に供給すること、つまり、外部の映像データを表示装置１８およびスピーカ１９を使って鑑賞することもできるようになっている。
【００１７】
電源回路２１は、ＰＤＡ１内の各部に対する電力供給制御を行っており、バッテリ２２およびＡＣ入力端子２３が接続されている。バッテリ２２は繰り返し充放電可能な二次電池であり、電源回路２１は、このバッテリ２２からの電力を各部に分配することを基本とし、ＡＣ入力端子２３経由でＡＣ電源が入力されている場合、このＡＣ電源からの電力を各部に分配すると共に、この電力でバッテリ２２を充電する。消費電力制御部２４は、バッテリ２２からの電力が各部に分配されている場合に、その消費電力量を少しでも低減すべく動作するものであり、そのために、どのように消費電力制御機能を動作させるのかをユーザが任意に設定するための消費電力設定部２４１と、視聴中の番組の種別を含む属性値を判定するためのコンテンツ種別検知部２４２とを有している。この消費電力制御部２４の動作原理については後述する。
【００１８】
操作キー２３は、何らかのキー操作が行われると、その旨を割り込みとしてＣＰＵ１１に通知する。この通知によって、ＣＰＵ１１は、ユーザの指示に沿った動作をＰＤＡ１に行わせることができる。
【００１９】
次に、図３を参照して、このような構成をもつＰＤＡ１が消費電力制御部２４によって実行する消費電力制御の概念を説明する。ここでは、説明を簡単にするために、消費電力量を低減するための事項として、復号演算処理部１６により映像データを再生する際の画質を低下させる（演算処理量を軽減させる）ことと、ＣＭ中は映像をオフにする（光源１７および表示装置１８による電力消費を抑止する）ことの２つを考える。
【００２０】
いま、あるチャンネルでは、番組Ａが放送されようとしており、続いて、番組Ｂが放送されるものとする（図３（Ａ））。番組Ａは「映画」であり、番組Ｂは「ニュース」である。そして、このチャンネルの番組をＰＤＡ１で視聴するユーザは、「映画」は高画質でなければならないが、「ニュース」は低画質でも構わないと考えており、また、「映画」を見ている間のＣＭの映像は必要ないと考えている。この場合、消費電力制御部２４は、別途取得される番組表データを参照して、第１に、放映中の番組の種別を判定し、「ニュース」であれば低画質化による消費電力量の低減を図り、第２に、「映画」であれば、さらにＣＭの放映時間帯を調べて、各ＣＭの放映時間中は映像オフによる消費電力量の低減を図る（図３（Ｂ），図３（Ｄ））。
【００２１】
図４は、チューナ１５を介して取得される番組表データの一構成例を示す図である。この番組データは、タグによって様々な意味を定義づけることのできるＸＭＬ（extensible markup language）により、図示のような階層構造をもったファイルとして構成される。
【００２２】
番組表データは、チャンネル毎に日毎の番組が放送順に列挙され、また、番組毎にその種別や本編部分およびＣＭの詳細なタイムスケジュール等が記載されている。コンテンツ種別検知部２４２は、この番組表データを参照することで各番組の種別を含む属性値を判定し、その結果を受けて、消費電力制御部２４は、必要に応じて、復号演算処理部１６に対して画質を低下させる旨を指示することができる。また、消費電力制御部２４は、必要に応じて、光源１７および表示装置１８に対して電源オフを指示することができる。本例では、前者（復号演算処理部１６に対する画質を低下させる旨の指示）の「必要に応じて」は、種別が「ニュース」であった場合であり、後者（光源１７および表示装置１８に対する電源オフの指示）の「必要に応じて」は、その放映中の内容が「ＣＭ」であった場合である。
【００２３】
なお、図４では、放映中の内容が本編部分およびＣＭのいずれであるのかを識別可能な属性および属性値が番組表データ内に設けられている例を示しているが、この識別に必要な属性および属性値が設けられていない場合、例えば次のような方法でも判定することができる。
【００２４】
いま、図３（Ｃ１）に示すように、本編部分の音声は「２ヶ国語」、ＣＭの音声は「ステレオ」と音声データの種別が異なるものとする。この違いを利用して、コンテンツ種別検知部２４２は、音声データの種別を示す属性値を有する属性を番組表データ内で検索し、この属性が有する属性値を参照することにより、放映中の内容が本編部分およびＣＭのいずれであるのかを識別できる。また、図３（Ｃ２）に示すように、本編部分の音声は「モノラル」、ＣＭの音声は「ステレオ」と音声データの種別が異なる場合も同様の手順で識別が可能である。さらに、この音声データの種別の違いを利用する場合には、番組表データを利用しなくても、音声を再生する復号演算処理部１６に問い合わせることで識別は可能である。
【００２５】
また、ここでは、各チャンネルの放送スケジュールが包括される形態で番組表データが構成される例を示したが、例えば各番組のメタデータが放映中の映像データと並行して出力される場合には、前述のテレビジョン機能の利用開始時や電源オン時に加えて、チャンネルの切り替わり時や番組の切り替わり時等に、各メタデータを取得してＲＡＭ１３に格納するようにすれば良い。
【００２６】
図５は、消費電力設定部２４１が提示する消費電力設定画面の一例を示す図である。図５に示すように、この消費電力設定画面は、縦軸方向に消費電力制御項目、横軸方向に番組（コンテンツ）種別が配置されており、ユーザは、種別毎に、消費電力制御項目の動作有無を各々設定することができる。「映像オフ」の欄をチェックすると、光源１７および表示装置１８がオフされ、復号演算処理部１６による映像再生処理が停止される（音声再生処理は継続）。図示の例では、「音楽」番組を視聴中、表示が消えることになる。この「映像オフ」の欄がチェックされると、後述する「表示装置減光」、「低画像度化」および「ＣＭカット」は設定項目から自動的に排除される。この光源１７および表示装置１８の制御は、ＣＰＵ１１から導出される制御信号線により行われ、復号演算処理部１６の制御は、ＰＤＡ１内に敷設されるバス経由で通信することにより行われる。
【００２７】
「表示装置減光」の欄をチェックすると、光源１７が減光される。図示の例では、「ニュース」番組を視聴中、表示がやや暗くなることになる。また、「低画像度化」の欄をチェックすると、復号演算処理部１６による映像再生処理が低画質化されることになる。図示の例では、「ニュース」番組、「スポーツ」番組を視聴中、画質が低下することになる。
【００２８】
「ＣＭカット」の欄をチェックすると、ＣＭ中、「映像オフ」と同様、光源１７および表示装置１８がオフされる。図示の例では、「スポーツ」番組、「映画」番組を視聴中、表示が消えることになる。また、「音声オフ」の欄をチェックすると、スピーカ１９がミュートされる。図示の例では、「スポーツ」番組を視聴中、音声が消えることになる。このスピーカ１９の制御は、ＣＰＵ１１から導出される制御信号線により行われる。
【００２９】
つまり、この消費電力設定画面で、ユーザは、「ニュース」番組、「音楽」番組、「スポーツ」番組、「映画」番組のそれぞれについて、以下のように個別の消費電力制御動作を行わせるように設定することができる。
【００３０】
「ニュース」番組：光源１７を減光すると共に、復号演算処理部１６による映像再生処理を低画質化する。
【００３１】
「音楽」番組：光源１７および表示装置１８を常時オフにする。
【００３２】
「スポーツ」番組：復号演算処理部１６による映像再生処理を低画質化し、光源１７および表示装置１８をＣＭ中のみオフにし、音声を常時オフにする。
【００３３】
「映画」番組：光源１７および表示装置１８をＣＭ中のみオフにする。
【００３４】
このように、本ＰＤＡ１では、ユーザの要望に応じて、多様な消費電力制御動作を設定・実行することが可能である。なお、図５に示した消費電力制御項目は、単なる一例であり、これに限定されず、いずれの消費電力制御項目も選択肢として適用可能である。例えば復号演算処理部１６による映像再生処理の低画質化に代えて、単位時間当たり一定数再生すべきフレームを間引く（フレーム・スキップ）ことで演算処理量を軽減させたり、このフレーム・スキップを低画質化と共に行わせることも可能である。
【００３５】
図６は、消費電力設定部２４１が提示する消費電力設定画面の一応用例を示す図である。本例は、番組の種別には関わらずに、ＣＭ中における消費電力制御動作を設定できるようにしたものであり、まず、ＣＭ時の消費電力制御動作有無を「ＣＭ時消費電力制御有効」のチェックボックスで設定する。
【００３６】
ＣＭ時の消費電力制御動作を有効にすると、前述の「映像オフ」、「表示装置減光」、「低画像度化」、「音声オフ」の各チェックボックスが選択可能となるので、ユーザは、この中から所望の消費電力制御項目のチェックボックスをチェックする。図示の例では、「ＣＭ時消費電力制御有効」のチェックボックスがチェックされ、かつ「表示装置減光」、「低画像化」のチェックボックスがチェックされているので、ＣＭ中、光源１７が減光されると共に、復号演算処理部１６による映像再生処理が低画質化されることになる。例えば、ＣＭについて、全く必要ないというユーザもいれば、ＣＭも情報源の１つであると考えるユーザもいるので、ＣＭ中に表示装置を電源オフするといった一律の方法で消費電力の低減を図るのではなく、ユーザによっては、ＣＭ中の画像のみを低画像化することで消費電力の低減を図るといった、各ユーザのニーズに応じた多様な消費電力制御が行えるようになる。
【００３７】
また、この図５および図６に示した消費電力設定画面に限らず、放映中の番組の種別を含む属性値に基づき、消費電力制御動作を制御する仕組みを持つことで、多種多様な組合せによる消費電力設定画面を構成することが可能である。
【００３８】
図７は、このＰＤＡ１で実行されるテレビジョン機能に関わる消費電力制御動作の制御手順を示すフローチャートである。なお、ここでは、各番組単位に番組表データが構成されているものとする。
【００３９】
例えばテレビジョン機能の利用が開始されると、消費電力制御部２４は、まず、そのタイミングで番組表データの取得を行う（ステップＳ１）。そして、消費電力制御部２４は、この取得した番組表データを参照すると共に（ステップＳ２）、その時点における消費電力設定情報を参照する（ステップＳ３）。
【００４０】
もし、番組表データで示される属性について何らかの消費電力設定が行われていたら（ステップＳ４のＹＥＳ）、消費電力制御部２４は、その設定された消費電力制御項目を作動させるべく制御する（ステップＳ５）。
【００４１】
その後、消費電力制御部２４は、番組が切り替わったか（ステップＳ６）、またはチャンネルが切り替わったかを調べ（ステップＳ７）、いずれかが発生すると（ステップＳ６のＹＥＳ，ステップＳ７のＹＥＳ）、ステップＳ１からの処理を繰り返す。そして、テレビジョン機能がオフされると（ステップＳ８のＹＥＳ）、この処理を終了する。
【００４２】
以上のように、このＰＤＡ１によれば、放映中の番組を視聴している場合の消費電力機能を各番組の属性に応じて任意に動作制御することが可能となる。
【００４３】
ところで、このＰＤＡ１のテレビジョン機能は、前述したように、チューナ１５を介して放映中の番組を受信・視聴する他、記憶装置１４を利用して録画・再生を行ったり、映像／音楽データ入力端子２０を介して入力された外部の映像データを鑑賞することも可能である。そして、前述した各番組の属性に基づく消費電力動作制御は、この記憶装置１４を利用して録画した映像データの再生時や外部入力される映像データの再生時にも当然に適用することが可能である。
【００４４】
また、各番組の属性に基づく制御は、消費電力動作制御の他にも、種々応用することが可能であるので、バッテリ駆動型のＰＤＡやノートブックＰＣなどに限らず、ＡＣ電源からの電力で動作する据え置き型の例えばテレビジョン受信装置等への適用も有用である。そして、この場合は、ネットワークに常時接続される環境も構築可能であるので、番組表データの取得をインターネット経由で所定のＷｅｂサーバから取得するように変更することも容易に可能である。
【００４５】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】この発明の一実施形態に係る電子機器（ＰＤＡ）の外観を示す図
【図２】同実施形態のＰＤＡのシステム構成を示すブロック図
【図３】同実施形態のＰＤＡが実行する消費電力制御の概念を説明するための図
【図４】同実施形態のＰＤＡが取得する番組表データの一構成例を示す図
【図５】同実施形態のＰＤＡが提示する消費電力設定画面の一例を示す図
【図６】同実施形態のＰＤＡが提示する消費電力設定画面の一応用例を示す図
【図７】同実施形態のＰＤＡで実行されるテレビジョン機能に関わる消費電力制御動作の制御手順を示すフローチャート
【符号の説明】
【００４７】
１…電子機器（ＰＤＡ）、１１…ＣＰＵ、１２…ＲＯＭ、１３…ＲＡＭ、１４…記憶装置、１５…チューナ、１６…復号演算処理部、１７…光源、１８…表示装置、１９…スピーカ、２０…映像／音声データ入力端子、２１…電源回路、２２…バッテリ、２３…ＡＣ入力端子、２４…消費電力制御部、２５…操作キー、１５１…アンテナ、２４１…消費電力設定部、２４２…コンテンツ種別検知部。
【図１】
2006129262.tif 000003
【図２】
2006129262.tif 000004
【図３】
2006129262.tif 000005
【図４】
2006129262.tif 000006
【図５】
2006129262.tif 000007
【図６】
2006129262.tif 000008
【図７】
2006129262.tif 000009